(57)【特許請求の範囲】
【請求項１】
底板と側壁とからなり床、壁及び天井の取着面に取付けられるベースと、天板部と側壁部とからなり側壁部の内面にベースの側壁に係合する突部を有してベースを覆うように組み合わされるカバーとを備えた配線ダクトであって、金属製で非塗装状態の前記ベースは、その側壁を外方に向けてく字状に屈曲させたものであり、ベースとの電気接続が可能な前記カバーは、その突部にのみマスキングテープを貼って塗装を行い、その後マスキングテープを剥がすことで突部のみを非塗装状態にしたものであることを特徴とする配線ダクト。
【発明の詳細な説明】
【０００１】
【発明の属する技術分野】
本発明は、ベースとカバーを備えた配線ダクトに関し、詳しくは、ベースとカバーとの電気的な接続を簡素な構成で確実におこなおうとする技術に係るものである。
【０００２】
【従来の技術】
従来、図８に示すように、配線ダクトＡ’においては、床、壁及び天井等の取着面に取付けられる非塗装の金属製のベース３’と、ベース３’を覆うように組み合わされる塗装されたカバー７’とからなるものであり、カバー７’は美観を向上すべく塗装され、ベース３’はカバー７’により覆われることから塗装されないものである。
【０００３】
【発明が解決しようとする課題】
このような配線ダクトＡ’において、アースをとりたい場合は、ベース３’、３’間を銅板８等で電気的に接続してアースをとるのであり、カバー７’については塗装されていることからアースがとりにくいという問題があった。
【０００４】
そこで、ビス止め等にてカバー７’…のアースをとることも考えられるが、外観が低下するとともにビスの締め忘れが生じやすい等という問題があった。
【０００５】
本発明はこのような問題に鑑みてなされたものであり、ベースとカバーとの電気的な接続を簡素な構成で確実におこなうことができ、アースを確実におこなうことができる配線ダクトを提供することを課題とするものである。
【０００６】
【課題を解決するための手段】
請求項１においては、底板１と側壁２とからなり床、壁及び天井の取着面に取付けられるベース３と、天板部４と側壁部５とからなり側壁部５の内面にベース３の側壁２に係合する突部６を有してベース３を覆うように組み合わされるカバー７とを備えた配線ダクトであって、金属製で非塗装状態の前記ベース３は、その側壁２を外方に向けてく字状に屈曲させたものであり、ベース３との電気接続が可能な前記カバー７は、その突部６にのみマスキングテープを貼って塗装を行い、その後マスキングテープを剥がすことで突部６のみを非塗装状態にしたものであることを特徴とするものである。このような構成によれば、非塗装状態のベース３に、非塗装状態の突部６を備えたカバー７を覆うように外嵌することで、ベース３とカバー７とを電気的に簡単、確実に接続することができ、ビスのようなねじ締めを要することがなく、外観を低下することがなく、配線ダクトのアースを所定通りにとることができる。また、突部６のみが非塗装状態となっており、突部６によってベース３との電気的な接続を確実、容易におこなうことができるとともに、他の面は塗装状態であるから、カバー７の耐腐食性は高めることができる。さらに、突部６のみを非塗装状態にするのに際して、マスキングテープを貼って塗装をおこない、その後、マスキングテープを剥がして非塗装状態にする作業が最小限で達成できる。
【００１２】
【発明の実施の形態】
以下、本発明の実施の形態を説明する。図１（ａ）は概略斜視図である。同図（ｂ）は概略断面図である。同図（ｃ）はベース間のアース構成を示す斜視図である。図２は施工箇所の斜視図である。
【００１３】
配線ダクトＡは、例えば、事務所の壁、床及び天井等の取着面８に付設されて内部に配される電線等を保護するものであり、底板１と側壁２とからなり取着面８に取付けられる非塗装で錆止め処理がなされた非塗装状態の金属製のベース３と、天板部４と側壁部５とからなり側壁部５の内面にベース３の側壁２に係合する突部６を有してベース３を覆うように組み合わされる塗装されたカバー７とから構成している。突部６はカバー７とともにプレス成形される。符号１１は塗装膜である。
【００１４】
ベース３とともに銅板から形成したアースバー１０を適宜の長さに切断してビス９にて一緒に取着面８に取付けることで、ベース３、３間のアースをとるのである。この場合、ベース３とカバー７とを電気的に接続して外嵌してカバー７…側においてもアースをとるようにしている。突部６は非塗装状態となっている。
【００１５】
このように、カバー７の突部６を非塗装状態にしていることから、非塗装状態のベース３に非塗装状態の突部６を備えたカバー７を覆うように外嵌することで、ベース３とカバー７とを電気的に簡単、確実に接続することができ、ビスのようなねじ締めを要することがなく、外観を低下することがなく、配線ダクトＡのアースを所定通りにとることができる。
【００１６】
この場合、図４に示すように、カバー７は、突部６のみを非塗装にするとともに、その他の部分の内外面を塗装している。このように、突部６のみが非塗装となっていて、突部６によってベース３との電気的な接続が確実、容易におこなうことができながら、他の面は塗装されていて、カバー７の耐腐食性を高めることができる。符号１１は塗装膜である。
【００１７】
本実施の形態においては、突部６のみを非塗装状態にするのに際して、マスキングテープ（図示せず）を貼って塗装をおこない、その後、マスキングテープを剥がして非塗装状態にする手段、又、塗装後に、突部６の塗装膜を剥ぐ手段において、両手段の作業を最小限で達成することができる。
【００１８】
図５は更に他の実施の形態を示し、カバー７は、外面から側壁部５の内面の突部６を含まない端部近傍にかけて塗装するとともに、突部６を含むその他の内面部分を非塗装としてある。
【００１９】
本実施の形態においては、突部６を非塗とするのに際して、マスキングテープを貼って塗装をおこない、その後、マスキングテープを剥がして非塗装状態にする手段、又、塗装後に、突部６の塗装膜を剥ぐ手段において、突部６を含まないカバー７の巾方向の端面に近い部分が塗装されることから、外観を損なうことがなく、塗料及び塗装コストを低減することができる。
【００２０】
図６は更に他の実施の形態を示し、カバー７は、側壁部５の内面の突部６を含む端部近傍を非塗装にするとともに、その他の部分を内外面塗装している。
【００２１】
本実施の形態においては、突部６を非塗装にするのに際して、マスキングテープを貼って塗装をおこない、その後、マスキングテープを剥がして非塗装にする手段、又、塗装後に、突部６を含む部分の塗装膜を剥ぐ手段において、両手段の作業を容易におこなえる。
【００２２】
図７は更に他の実施の形態を示し、カバー７は、外面を塗装するとともに、内面を非塗装にしている。
【００２３】
本実施の形態においては、ベース３として片面塗装済みの鋼板を使用することができ、塗装コストを低減することができ、かつ、非塗装状態のベース３に対してカバー７との電気的な接続性を高めることができる。
【００２４】
【発明の効果】
請求項１においては、ベースとカバーとを電気的に簡単、確実に接続することができ、ビスのようなねじ締めを要することがなく、外観を低下することがなく、配線ダクトのアースを所定通りにとることができるという利点がある。また、突部のみが非塗装状態となり、突部によってベースとの電気的な接続を確実、容易におこなうことができるとともに、他の面は塗装状態であるから、カバーの耐腐食性は高めることができるという利点がある。さらに、突部のみを非塗装状態にするのに際して、マスキングテープを貼って塗装をおこない、その後、マスキングテープを剥がして非塗装状態にする作業が最小限で達成できるという利点がある。
【図面の簡単な説明】
【図１】本発明の実施の形態を示し、（ａ）は斜視図、（ｂ）は断面図、（ｃ）はベース間のアース構成を示す斜視図である。
【図２】同上の施工箇所の斜視図である。
【図３】同上のアースバーを示し、（ａ）は斜視図、（ｂ）は一部省略した正面図、（ｃ）は断面図である。
【図４】同上のカバーの斜視図である。
【図５】同上の他の実施の形態のカバーの斜視図である。
【図６】同上の更に他の実施の形態のカバーの斜視図である。
【図７】同上の更に他の実施の形態のカバーの斜視図である。
【図８】従来例の斜視図である。
【符号の説明】
１  底板
２  側壁
３  ベース
４  天板部
５  側壁部
６  突部
７  カバー
【図１】
0004306114.tif 000002
【図２】
0004306114.tif 000003
【図３】
0004306114.tif 000004
【図４】
0004306114.tif 000005
【図５】
0004306114.tif 000006
【図６】
0004306114.tif 000007
【図７】
0004306114.tif 000008
【図８】
0004306114.tif 000009